(57)【要約】      （修正有）【課題】常に希望する位置に留め具を固定させ、ズレ落ち防止をすることができるネックレス等の装身具の留め具のズレ落ち防止具兼アクセサリーを提供する。【解決手段】連結具１の両端にそれぞれ取り付け、取り外しができる接続係止具２と把持具３を設けて構成され、背後側のアクセサリーやアジャスターにもなる。また、取り付け、取り外しが自由にできる接続係止具が接続された把持具を両端に接続係止具が接続された連結具の希望する長さの位置に取り付けて構成され、ファスナー引き上げ具にもなる。【選択図】図１
0003107121.tif 000002
【実用新案登録請求の範囲】
【請求項１】
連結具の両端にそれぞれ取り付け、取り外しができる接続係止具と把持具を設けて構成され、背後側のアクセサリーやアジャスターにもなることを特徴とするネックレス等の装身具の留め具のずれ落ち防止具兼アクセサリー。
【請求項２】
取り付け、取り外しが自由にできる接続係止具が接続された把持具を両端に接続係止具が接続された連結具の希望する長さの位置に取り付けて構成され、背後側のアクセサリーやアジャスターにもなることを特徴とするネックレス等の装身具の留め具のズレ落ち防止具兼アクセサリー。
【請求項３】
取り付け、取り外しが自由にできる接続係止具が接続された把持具を両端に接続係止具が接続された連結具の希望する長さの位置に取り付けて構成され、連結具の一方の接続係止具を衣類のファスナーに取り付けて引き上げて使用するネックレスにもなるファスナー引き上げ具としての利用も可能となることを特徴とするネックレス等の装身具の留め具のズレ落ち防止具兼アクセサリー。
【請求項４】
取り付け、取り外しが自由にできる接続係止具が接続された把持具を両端に接続係止具が接続された連結具の希望する長さの位置に取り付けて構成され、連結具の一方の接続係止具を衣類のファスナーに取り付けて引き上げて使用し、連結具の両端にマグネット機能を有する接続具を取り付け、ネックレスにもなるファスナー引き上げ具としての利用も可能となることを特徴とするネックレス等の装身具の留め具のズレ落ち防止具兼アクセサリー。
【考案の詳細な説明】
【技術分野】
【０００１】  本考案は、ネックレス等装身具の留め具部分のズレ落ちを防止するためのアクセサリーやアジャスターやファスナー引き上げ具としての利用も可能となるネックレス等の装身具の留め具のズレ落ち防止具兼アクセサリーに関するものである。
【背景技術】
【０００２】  従来、ネックレス等の装身具の留め具は、首の後ろなどの正面から見えないように背後側に設けられている。しかしながら、首部分の動きなどで、連結具がズレて、いつの間にか背後側にあるべき留め具が装飾されている正面側にズレ落ちてきてしまい見た目にも美観をそこねてしまっていた。また、首部は常に動きがあるため、留め具を首の後ろ等の背後側で固定することは不可能であった。特許文献１では、参考として、ネックレスに留め具を設けたものを上げておく。
【特許文献１】    実開平５−２０６０８号公報
【考案の開示】
【考案が解決しようとする課題】
【０００３】  本考案の課題は、ネックレス等の装身具の留め具のズレ落ちを防止することと、背後側のアクセサリーやアジャスターとしての利用やファスナー引き上げ具としての利用も可能となることである。【０００４】  本考案の目的は、上記の課題に鑑み、常に希望する位置に留め具を固定させ、ズレ落ち防止をすることができるネックレス等の装身具の留め具のズレ落ち防止具兼アクセサリーを提供することにある。
【課題を解決するための手段】
【０００５】  本考案に係るネックレス等の装身具の留め具のズレ落ち防止具兼アクセサリーは、上記の目的を達成するため、次のように構成される。【０００６】  第１のネックレス等の装身具の留め具のズレ落ち防止具兼アクセサリー（請求項１に対応）は、連結具の両端にそれぞれ取り付け、取り外しができる接続係止具と把持具を設けて構成され、背後側のアクセサリーやアジャスターにもなることで特徴づけられる。【０００７】  第２のネックレス等の装身具の留め具のズレ落ち防止具兼アクセサリー（請求項２に対応）は、取り付け、取り外しが自由にできる接続係止具が接続された把持具を両端に接続係止具が接続された連結具の希望する長さの位置に取り付けて構成され、背後側のアクセサリーやアジャスターにもなることで特徴づけられる。【０００８】  第３のネックレス等の装身具の留め具のズレ落ち防止具兼アクセサリー（請求項３に対応）は、取り付け、取り外しが自由にできる接続係止具が接続された把持具を両端に接続係止具が接続された連結具の希望する長さの位置に取り付けて構成され、連結具の一方の接続係止具を衣類のファスナーに取り付けて引き上げて使用するネックレスにもなるファスナー引き上げ具としての利用も可能となることで特徴づけられる。【０００９】  第４のネックレス等の装身具の留め具のズレ落ち防止具兼アクセサリー（請求項４に対応）は、取り付け、取り外しが自由にできる接続係止具が接続された把持具を両端に接続係止具が接続された連結具の希望する長さの位置に取り付けて構成され、連結具の一方の接続係止具を衣類のファスナーに取り付けて引き上げて使用し、連結具の両端にマグネット機能を有する接続具を取り付け、ネックレスにもなるファスナー引き上げ具としての利用も可能となることで特徴づけられる。
【考案の効果】
【００１０】  本考案によれば、ネックレス等装身具の留め具部分を希望する位置で固定することができ、ズレ落ちを防止できるという効果がある。また、それ以外に、今まで目立たなかった背後側のアクセサリーとして、オシャレを楽しめ、また、アジャスターやファスナーの引き上げ具としての利用も可能となるため大変便利である。
【考案を実施するための最良の形態】
【００１１】  以下に、本考案の好適な実施形態（実施例）を添付図面に基づいて説明する。【００１２】  本考案は、ネックレス等のアクセサリーの留め具部分に連結具の一方に接続された接続係止具を取り付けて、もう一方の接続された把持具を衣類の希望する部分に挟んで使用する他、背後側のアクセサリーやアジャスターとして、また、ファスナーに取り付け、引き上げることにより、ファスナー引き上げ補助具としても利用できる。
【実施例】
【００１３】  図１は、本考案の第１のネックレス等の装身具の留め具のズレ落ち防止具兼アクセサリーの実施形態の斜視図、図２は図１に示すネックレス等の装身具の留め具のズレ落ち防止具兼アクセサリーの側面図であり、図３は図１に示すネックレス等の装身具の留め具のズレ落ち防止具兼アクセサリーの一部の使用例の斜視図である。【００１４】  本考案によるネックレス等の装身具の留め具のズレ落ち防止具兼アクセサリーは、取り付け、取り外しができる接続係止具２が接続された連結具の一方をネックレス等の装身具の留め具部分に取り付け、把持具３が接続されたもう一方を衣類の希望するところへ挟んで、留め具を希望する位置に固定し、ズレ落ち防止具として、また背後側のアクセサリーとしてのオシャレも楽しめ、アジャスターとしても利用できる。【００１５】  図４は、本考案の第２のネックレス等の装身具の留め具のズレ落ち防止具兼アクセサリーの実施形態の斜視図、図５は図４に示すネックレス等の装身具の留め具のズレ落ち防止具兼アクセサリーの側面図であり、図６は図４に示すネックレス等の装身具の留め具のズレ落ち防止具兼アクセサリーの使用例の斜視図である。【００１６】  本考案による第２のネックレス等の装身具の留め具のズレ落ち防止具兼アクセサリーは、取り付け、取り外しができる接続係止具５が接続された把持具６を、両端に接続係止具５が接続された連結具４の希望する長さの位置に取り付けて、把持具６で衣類を挟み、連結具４の一方の接続係止具５を留め具に取り付けてのネックレス等の装身具の留め具のズレ落ち防止具としての使用の他、連結具の一方の接続係止具５を衣類のファスナーに取り付けて引き上げて使用するファスナー引き上げ具としての利用も可能である。【００１７】  図７は、本考案による第３のネックレス等の装身具の留め具のズレ落ち防止具兼アクセサリーの実施形態の斜視図、図８は側面図、図９はネックレス等の装身具の留め具のズレ落ち防止具兼アクセサリーの使用例の斜視図である。【００１８】  本考案による第３のネックレス等の装身具の留め具のズレ落ち防止具兼アクセサリーは、取り付け、取り外しができる接続係止具８が接続された把持具９を、両端に接続係止具８が接続された連結具７の希望する長さの位置に取り付けて、把持具９で衣類を挟み、連結具７の一方の接続係止具８を留め具に取り付けてのネックレス等の装身具の留め具のズレ落ち防止具としての使用の他、連結具の一方の接続係止具８を衣類のファスナーに取り付けて引き上げて使用するファスナー引き上げ具としての利用も可能である。さらに、連結具の両端に取り付けたマグネット機能を持つ接続具１０により、ファスナーを上げた後に、首の周りにまいてマグネットで両端をとめることにより、ネックレスとなる。【００１９】  なお、衣類を挟む把持具として、装飾のあるクリップを用いることにより、さらに、背後のオシャレを楽しむことができる。
【産業上の利用可能性】
【００２０】  本考案は、ネックレス等の装身具の留め具のズレ落ち防止具としての使用の他、背後側のアクセサリーやアジャスターとして、また、ファスナー引き上げ具としての利用が可能となる。
【図面の簡単な説明】
【００２１】
【図１】  本考案の第１のネックレス等の装身具の留め具のズレ落ち防止具兼アクセサリーの実施形態の斜視図である。
【図２】  図１に示すネックレス等の装身具の留め具のズレ落ち防止具兼アクセサリーの側面図である。
【図３】  図１に示す示すネックレス等の装身具の留め具のズレ落ち防止具兼アクセサリーの使用例の斜視図である。
【図４】  本考案の第２のネックレス等の装身具の留め具のズレ落ち防止具兼アクセサリーの実施形態の斜視図である。
【図５】  図４に示すネックレス等の装身具の留め具のズレ落ち防止具兼アクセサリーの側面図である。
【図６】  図４に示すネックレス等の装身具の留め具のズレ落ち防止具兼アクセサリーの使用例の斜視図である。
【図７】  本考案の第３のネックレス等の装身具の留め具のズレ落ち防止具兼アクセサリーの実施形態の斜視図である。
【図８】  図７の側面図
【図９】  図７に示すネックレス等の装身具の留め具のズレ落ち防止具兼アクセサリーの使用例の斜視図である。
【符号の説明】
【００２２】  １，４，７            連結具
２，５，８，１０      接続係止具
３，６，９            把持具
【図１】
0003107121.tif 000003
【図２】
0003107121.tif 000004
【図３】
0003107121.tif 000005
【図４】
0003107121.tif 000006
【図５】
0003107121.tif 000007
【図６】
0003107121.tif 000008
【図７】
0003107121.tif 000009
【図８】
0003107121.tif 000010
【図９】
0003107121.tif 000011